(57)【特許請求の範囲】
【請求項１】
医療用ネジの被係合孔に挿入されて被係合孔と係合する係合軸部を先端に備えたドライバー軸と、
ドライバー軸に沿って前後にスライド自在なスライド部と、
スライド部がそのスライド範囲の前端までスライドしたときスライド部をドライバー軸に仮固定し、後方に向かう所定以上の力をスライド部に加えると仮固定を解除するスライド部仮固定手段と、
ドライバー軸に設けられ、スライド部がそのスライド範囲の後端までスライドしたときにスライド部を当止するストッパーと、
を有する医療用ネジのドライバー。
【請求項２】
スライド部がドライバーの握り部を兼ねたものである請求項１に記載の医療用ネジのドライバー。
【請求項３】
ドライバー軸に沿って前後にスライドしない固定部であって、スライド部がそのスライド範囲の前端までスライドしたときにスライド部の前端を当止する固定部を、ドライバー軸の周りに有する請求項１又は請求項２に記載の医療用ネジのドライバー。
【請求項４】
固定部に、ドライバー軸のロック態様を、左回転ロック、右回転ロック、左右回転ロックの三態様に切り替えるラチェット機構が設けられている請求項１ないし請求項３のいずれかに記載の医療用ネジのドライバー。
【請求項５】
スライド部仮固定手段が、後方に向かう１Ｎ以上の力をスライド部に加えると仮固定を解除するものである請求項１ないし請求項４のいずれかに記載の医療用ネジのドライバー。
【請求項６】
スライド部の質量が０．１ｋｇ以上である請求項１ないし請求項５のいずれかに記載の医療用ネジのドライバー。
【発明の詳細な説明】
【技術分野】
【０００１】
本発明は医療用ネジのドライバーに関し、更に詳しくは、医療用ネジを生体硬組織の所定箇所にねじ込んだ後に、ドライバー軸先端の係合軸部を医療用ネジの被係合孔から容易に抜き取ることができるように改良した、操作性の良いドライバーに関する。
【背景技術】
【０００２】
医療用ネジの孔にドライバー軸の先端部を嵌合して生体硬組織にねじ込むと、ドライバー軸の先端部が医療用ネジの孔に圧入、密着して、ドライバー軸の先端部を医療用ネジの孔から引抜き難くなるという問題がある。
【０００３】
かかる問題を解決する医療用ネジのドライバーとして、握り部と、該握り部の一端部に突設されたドライバー軸と、該ドライバー軸の基端部に形成された雄ネジと、該ドライバー軸の外側に移動可能に嵌入されるとともに上記雄ネジに螺合する雌ネジを備えた筒体と、該筒体に設けられた回転ハンドルとを備え、上記ドライバー軸の先端が医療用ネジのドライブ孔に嵌入するビット先に形成されたドライバーが知られている（特許文献１）。
【０００４】
このドライバーは、医療用ネジを生体の硬組織にねじ込んだ後、筒体の回転ハンドルを回転させて、ドライバー軸の雄ネジと筒体の雌ネジとで筒体を前進させながら、筒体の先端で医療用ネジの頭部を押していき、相対的にドライバー軸先端のビット先を後退させることによって、ビット先を医療用ネジのドライブ孔から抜き取ることができるものである。
【先行技術文献】
【特許文献】
【０００５】
【特許文献１】特開２００１−１７４４０号公報
【発明の概要】
【発明が解決しようとする課題】
【０００６】
しかしながら、上記特許文献１のドライバーは、医療用ネジのドライブ孔からドライバー軸先端のビット先を抜き取る際に、筒体の回転ハンドルを回転させて筒体を回転、前進させることが必要であるため、この筒体の回転操作が意外に面倒で手間がかかり、操作性が良くないという問題があった。
【０００７】
また、筒体の先端が医療用ネジの頭部に接触しながら回転するため、医療用ネジの頭部に傷が生じたり、削り屑が発生して周囲の生体組織に付着する虞れもあった。
【０００８】
本発明は上記事情の下になされたもので、その解決しようとする課題は、医療用ネジを生体硬組織の所定箇所にねじ込んだ後に、ドライバー軸先端の係合軸部を医療用ネジの被係合孔から容易に抜き取ることができ、医療用ネジに傷が付いたり削り屑が生じたりする心配もない、操作性の良好な医療用ネジのドライバーを提供することにある。
【課題を解決するための手段】
【０００９】
上記課題を解決するため、本発明に係る医療用ネジのドライバー（以下、ドライバーという）は、
医療用ネジの被係合孔に挿入されて被係合孔と係合する係合軸部を先端に備えたドライバー軸と、
ドライバー軸に沿って前後にスライド自在なスライド部と、
スライド部がそのスライド範囲の前端までスライドしたときスライド部をドライバー軸に仮固定し、後方に向かう所定以上の力をスライド部に加えると仮固定を解除するスライド部仮固定手段と、
ドライバー軸に設けられ、スライド部がそのスライド範囲の後端までスライドしたときにスライド部を当止するストッパーと、
を有することを特徴とする。
【００１０】
本発明のドライバーにおいては、スライド部がドライバーの握り部を兼ねたものであることが望ましい。
また、ドライバー軸に沿って前後にスライドしない固定部であって、スライド部がそのスライド範囲の前端までスライドしたときにスライド部の前端を当止する固定部を、ドライバー軸の周りに有することも望ましい。
そして、上記固定部に、ドライバー軸のロック態様を、左回転ロック、右回転ロック、両回転ロックの三態様に切り替えるラチェット機構が設けられていることも望ましい。
更に、スライド部仮固定手段は、後方に向かう１Ｎ以上の力をスライド部に加えると仮固定を解除するものであることが望ましく、また、スライド部の質量は０．１ｋｇ以上であることが望ましい。
【発明の効果】
【００１１】
本発明のドライバーは、次の要領で使用する。まず、ドライバー軸の先端の係合軸部を医療用ネジの被係合孔に挿入、係合させ、ドライバー軸を回転させながら、医療用ネジを生体の硬組織の所定箇所にねじ込む。このようにねじ込むと、ドライバー軸の先端の係合軸部が医療用ネジの被係合孔に圧入、密着して、被係合孔から引抜き難くなる。そこで、係合軸部を引抜く際に、スライド部に後方に向かう所定以上の力を加え、スライド部仮固定手段によるスライド部の仮固定を解除すると同時にスライド部をドライバー軸沿いにスライド範囲の前端から後端まで勢い良くスライドさせて、ドライバー軸に設けたストッパーにスライド部を衝突させて当止し、所謂スラップハンマー機能を発揮させる。このようにスラップハンマー機能を発揮させると、後方に向かう衝撃力（引抜き力）がストッパーからドライバー軸の先端の係合軸部に伝わり、医療用ネジの被係合孔と係合軸部が衝撃力で離反するので、係合軸部を医療用ネジの被係合孔からスムーズに引抜くことができる。
【００１２】
また、本発明のドライバーのように、スラップハンマー機能を発揮させてドライバー軸の係合軸部を医療用ネジの被係合孔から引き抜くと、前記特許文献１のドライバーのように筒体を回転させて係合軸部を引き抜くものに比べて、引抜き操作が遥かに簡単になり、しかも、筒体の回転によって医療用ネジの頭部に傷がついたり、削り屑が発生して周囲の生体組織に付着する心配も解消することが可能となる。
【００１３】
本発明のドライバーにおいて、スライド部がドライバーの握り部を兼ねたものであると、握り部を後方にスライドさせてスラップハンマー機能を発揮できるので、操作性が向上する利点があり、しかも、握り部とは別にスライド部を設ける必要がないので、部品点数の増加を抑えることができる。
【００１４】
また、ドライバー軸に沿って前後にスライドしない固定部であって、スライド部がそのスライド範囲の前端までスライドしたときにスライド部の前端を当止する固定部を、ドライバー軸の周りに設けると、この固定部と前記ストッパーによってスライド部のスライド範囲（換言すればスラップストローク）を規制することができる。
【００１５】
そして、この固定部に、ドライバー軸のロック態様を、左回転ロック、右回転ロック、両回転ロックの三態様に切り替えるラチェット機構が設けられていると、ラチェット機構でドライバー軸のロック態様を切り替えて、医療用ネジのねじ込み作業や緩め作業を容易に行うことができる。
【００１６】
更に、スライド部仮固定手段が、後方に向かう１Ｎ以上の力をスライド部に加えると仮固定を解除するものであり、また、スライド部の質量が０．１ｋｇ以上であると、操作する人の手の重さも合わさってスラップハンマー機能を発揮させたときに、医療用ネジの被係合孔からドライバー軸の先端の係合軸部を引抜くのに充分な衝撃力（引抜き力）が得られるので、係合軸部を確実に引抜くことができる。
【図面の簡単な説明】
【００１７】
【図１】本発明に係るドライバーの基本的な構成を示す概略断面図である。
【図２】スライド部を後方にスライドさせてスラップハンマー機能を発揮させた状態の同ドライバーの概略断面図である。
【図３】本発明の具体的な一実施形態に係るドライバーの断面図である。
【図４】スラップハンマー機能を発揮させた状態の同ドライバーの断面図である。
【図５】図４のＡ−Ａ線断面図である。
【図６】同ドライバーの部分断面図である
【図７】ドライバー軸前部を抜き取った状態の同ドライバーの部分断面図である。
【図８】図３のＢ−Ｂ線断面図であって、両回転ロックの状態にあるラチェット機構を示したものである。
【図９】図３のＢ−Ｂ線断面図であって、左回転ロックの状態に切り替えたラチェット機構を示したものである。
【発明を実施するための形態】
【００１８】
以下、図面を参照して、本発明に係るドライバーの基本的な構成と、具体的な実施形態について説明する。
【００１９】
図１は本発明に係るドライバーの基本的な構成を示す概略断面図、図２はスライド部を後方にスライドさせてスラップハンマー機能を発揮させたところを示す同ドライバーの概略断面図である。
【００２０】
この基本的な構成のドライバー１００は、図１，図２に示すように、ドライバー軸１と、スライド部２と、スライド部仮固定手段３と、ストッパー４と、ドライバー軸１の周りの固定部５と、ラチェット機構６とを有するものであって、ドライバー軸１は、医療用ネジ７の被係合孔７ａに挿入されて被係合孔７ａと周方向に係合する係合軸部１ａを先端に備えており、このドライバー軸１の後部は外筒８に挿入されている。
【００２１】
スライド部２はドライバーの握り部９を兼ねた中空部材であって、ドライバー軸１に沿って前後にスライド自在となるように外筒８の周りに装着されており、このスライド部２の前部と、内径が拡大された中間部及び後部との間には、段差内面２ａが形成されている。なお、スライド部２の内径が拡大されていない前部と外筒８は、キーとキー溝などの空回り防止手段（不図示）によって空回りしないように構成されている。
【００２２】
スライド部仮固定手段３は、スライド部２が図１に示すようにスライド範囲の前端までスライドした状態にあるときに、スライド部２がドライバー軸１に沿って後方にスライドしないように、ストッパー４を介してスライド部２とドライバー軸１の外筒８を仮固定するものであって、後方に向かう所定以上の力がスライド部２に加えられると、仮固定が解除されてスライド部２が勢い良く後方へスライドするようになっている。かかるスライド部仮固定手段３の具体例としては、後述するボールプランジャーやマグネットなどが挙げられる。なお、スライド部仮固定手段３は、固定部５とスライド部２の間に設けてもよい。
【００２３】
ストッパー４はドライバー軸１の外筒８の後端部の周りに設けられ、図１に示すようにスライド部２がそのスライド範囲の前端から、図２に示すようにスライド範囲の後端まで勢い良くスライドしたときに、スライド部２の段差内面２ａを衝突させて当止し、スラップハンマー機能を発揮させるものである。
【００２４】
ドライバー軸１の中間部を囲繞する固定部５は外筒８の前端に一体的に形成されており、ドライバー軸１に沿って前後にスライドできないようになっている。この固定部５は、図１に示すように、スライド部２がそのスライド範囲の前端までスライドしたときに、スライド部２の前端を当止するものであって、この固定部５には、ドライバー軸１のロック態様を、左回転ロック、右回転ロック、両回転ロックの三態様に切り替えるラチェット機構６が設けられている。
【００２５】
上記構成のドライバー１００は、ドライバー軸１の先端の係合軸部１ａを医療用ネジ７の被係合孔７ａに挿入、係合させ、握り部９を兼ねたスライド部２によってドライバー軸１を回転させながら、医療用ネジ７を生体の硬組織の所定箇所にねじ込む。このようにねじ込むと、係合軸部１ａが医療用ネジ７の被係合孔７ａに圧入、密着して、被係合孔７ａから引抜き難くなるので、係合軸部１ａを引抜く際に、スライド部２に後方に向かう所定以上の力を加えて、スライド部仮固定手段３によるスライド部２の仮固定を解除すると同時に、スライド部２を図２に示すようにドライバー軸１沿いにスライド範囲の前端から後端まで勢い良くスライドさせ、スライド部２の段差内面２ａをストッパー４に衝突させてスラップハンマー機能を発揮させる。このようにスラップハンマー機能を発揮させると、後方に向かう衝撃力（引抜き力）がストッパー４から外筒８を介してドライバー軸１先端の係合軸部１ａに伝わり、医療用ネジ７の被係合孔７ａと係合軸部１ａが衝撃力で離反して、係合軸部１ａを医療用ネジ７の被係合孔７ａから簡単かつスムーズに引抜くことができる。従って、前記特許文献１のドライバーに比べると操作性が著しく向上し、医療用ネジ７の頭部に傷がついたり、削り屑が発生して周囲の生体組織に付着する心配もなくなる。
本発明にかかるドライバーは、医療用ネジに用いるドライバーであり、医療用ネジ７が靱帯固定用の高分子材料からなるネジの場合に特に好ましく用いられる。靱帯固定用のネジの場合、図１に記載のようにネジ内部に被係合孔７ａが設けられ、ドライバー軸先端にある係合軸部１ａを係合させる形態であり、両者間で係合する面積が多く、密着しやすいのである。また、ネジが高分子材料である場合は、金属に比べて弾性率が低く、回転時の応力が大きい場合には微小な弾性変形により、ネジ内部の被係合孔とドライバー軸先端の係合軸部が密着しやすい方向にある。
【００２６】
しかも、このドライバー１００は、スライド部２がドライバーの握り部９を兼ねているので、スラップハンマー機能を発揮させる際に、握り部９からスライド部２に持ち替える必要がなく、握り部９（スライド部２）を握ったままスライドさせてスラップハンマー機能を発揮できる利便さがあり、また、握り部９とは別にスライド部２を設ける必要がないので部品点数の増加を抑えることもできる。
更に、このドライバー１００は、スライド部２がそのスライド範囲の前端までスライドしたときにスライド部２の前端を当止する固定部５を設けてあるので、この固定部５とストッパー４によってスライド部２のスライド範囲（換言すればスラップストローク）を規制でき、しかも、この固定部５には、ドライバー軸１のロック態様を、左回転ロック、右回転ロック、両回転ロックの三態様に切り替えるラチェット機構６を設けてあるので、該ラチェット機構６でドライバー軸１のロック態様を切り替えて、医療用ネジ７のねじ込み作業や緩め作業を容易に行うことができる。
【００２７】
図３は本発明の具体的な一実施形態に係るドライバーの縦断面図、図４はスラップハンマー機能を発揮させた状態の同ドライバーの縦断面図、図５は図４のＢ−Ｂ線断面図、図６は同ドライバーの部分断面図、図７はドライバー前軸を抜き取った状態の同ドライバーの部分断面図、図８，図９はいずれも図３のＡ−Ａ線断面図であって、図８は両回転ロックの状態にあるラチェット機構を、図９は左回転ロックの状態に切り替えたラチェット機構を示している。
【００２８】
この実施形態に係るドライバー１１０のドライバー軸は、図３，図４に示すように、ドライバー前軸１０とドライバー後軸１１とに分割されており、ドライバー前軸１０の後端のビット部１０ｂは、後述するように、ドライバー１１０の前軸保持部２１に脱着可能に保持されている。ドライバー前軸１０とドライバー後軸１１は、いずれも中心線に沿って貫通するワイヤ挿通孔１０ｃ，１１ｃを形成した中空軸であって、ドライバー前軸１０の先端には、医療用ネジ７の六角形の被係合孔７ａに挿入されて周方向に係合する小径の六角形の係合軸部１０ａが先窄まりのテーパー状に形成されている。
【００２９】
ドライバー後軸１１は、図８，図９に示すラチェット機構１９のラチェット軸となるもので、図３〜図５に示すように外筒１２に挿入されており、この外筒１２の周りには、握り部１３を兼ねた中空のスライド部１４が装着されている。外筒１２の外周面には、９０°の間隔をあけて４つのキー溝１２ａが前後方向に形成されており、これらのキー溝１２ａには、スライド部１４の前部空洞に挿入、固定されたフランジ１５の４つのキー１５ａ（フランジ１５の内周面に突設された前後方向に細長い４つのキー１５ａ）がスライド自在に嵌め込まれて、キー溝１２ａと周方向に係合している。従って、スライド部１４（握り部１３）は、ドライバー後軸１１の周りの外筒１２に沿って前後方向にスライド自在であるが、外筒１２に対して周方向に空回りしないようになっている。
【００３０】
図３，図４に示すように、外筒１２の前端には鍔状の固定部１６が固着されており、スライド部１４（握り部１３）が図３に示すようにスライド範囲の前端までスライドしたときに、スライド部１４の前端が固定部１６によって当止されるようになっている。一方、外筒１２の後端部に形成された小径のネジ筒部には、ストッパーとしてナット１７が螺合固定されており、図４に示すようにスライド部１４がスライド範囲の後端までスライドしたときに、スライド部１４の内部の前記キー１５ａがナット１７に当たって、スライド部１４が停止するようになっている。このように、スライド部１４（握り部１３）の前後方向のスライド範囲は、固定部１６とナット１７（ストッパー）によって規制されている。
【００３１】
スライド部１４（握り部１３）の後端部には、スライド部仮固定手段として上下一対のボールプランジャー１８が埋設されている。このボールプランジャー１８は、スライド部１４が図３に示すようにスライド範囲の前端までスライドした状態にあるときに、プランジャー１８の先端のボールを前記ナット１７の外周面の溝に押し付けることにより、スライド部１４を後方にスライドしないように仮固定するものであって、後方に向かう所定以上の力をスライド部１４に加えると、プランジャー１８の先端のボールがナット１７の外周面の溝から外れて仮固定が解除され、スライド部１４が勢い良く後方へスライドして、図４に示すようにスライド部１４の内部のキー１５ａがナット１７（ストッパー）に衝突し、スラップハンマー機能が発揮されるようになっている。
なお、スライド部仮固定手段としては、マグネットや弾性係止片なども使用可能であり、例えばマグネットを使用する場合は、固定部１６とスライド部１４の前端面との間に設けることが望ましい。
【００３２】
固定部１６の前側には、図３，図４に示すように、ラチェット機構１９が組み込まれると共に、固定部１６にネジ止めされた押えカバー２０でカバーされている。このラチェット機構１９は、図３，図４，図８，図９に示すように、ラチェット軸となるドライバー後軸１１と、ラチェットギア１９ａと、切り替えリング１９ｂと、左右の噛合爪１９ｃ，１９ｄと、これらの噛合爪をラチェットギア１９ａに向かって付勢する捻じりバネ１９ｅとを備えたものであって、ラチェットギア１９ａは、ドライバー後軸１１の前端部に回転自在に外嵌着された前軸保持筒２１ａの後端部に形成されている。
【００３３】
このラチェット機構１９は、図８に示すように、左右の噛合爪１９ｃ，１９ｄがラチェットギア１９ａに噛合した状態では右回転も左回転もロックされるが、図９に示すように、切り替えリング１９ｂを回して右側の噛合爪１９ｄの噛合いを外すと左回転がロックされ、切り替えリング１９ｂを反方向に回して左側の噛合爪１９ｃの噛合いを外すと右回転がロックされるようになっている。
【００３４】
このドライバー１１０の前軸保持部２１は、図３，図４，図６，図７に示すように、ドライバー後軸１１の前端部に回転自在に外嵌着された前軸保持筒２１ａと、この前軸保持筒２１ａの前部にスライド可能に外嵌着された鍔付き外筒２１ｂと、この鍔付き外筒２１ｂを前方へ付勢するスプリング２１ｃと、前軸保持筒２１ａの前端近くの複数（４つ）のボール保持孔に保持されたボール２１ｄと、前軸保持筒２１ａの前端の小径ネジ筒部に螺合固定された鍔付き外筒抜け止め用のナット２１ｅを有するものであって、図６に示すように、前軸保持筒２１ａにドライバー前軸１０の後端のビット部１０ｂを挿入すると共に、ボール２１ｄをドライバー前軸１０の後端部の溝１０ｄに嵌め込んで、鍔付き外筒２１ｂの内面でボール２１ａが溝１０ｄから外れないように押えることにより、ドライバー前軸１０を前軸保持筒２１ａに対して空回りしないように、且つ、前軸保持筒２１ａから抜け出さないように保持するものである。
【００３５】
そして、図７に示すように、スプリング２１ｃの付勢力に抗して鍔付き外筒２１ｂを後方へスライドさせると、ボール２１ｄが鍔付き外筒２１ｂの内周面前端の浅溝部に逃げてドライバー前軸１０の溝１０ｄから外れるため、ドライバー前軸１０のビット部１０ｂを簡単に抜き取ることができるものである。
【００３６】
なお、図３，図４において、２２はスライド部１４（握り部１３）の後端開口を塞ぐエンドカバーであり、このエンドカバー２２の中心にもワイヤ挿通孔２２ａが形成されている。
【００３７】
次に、このドライバー１１０を用いて医療用ネジ７を生体硬組織の所定箇所にねじ込み、ドライバー前軸１０の先端の係合軸部１０ａを医療用ネジ７の被係合孔７ａから抜き取る作業について説明する。
【００３８】
予め、生体硬組織の所定箇所にガイドワイヤ（不図示）の先端を固定し、このガイドワイヤで穿孔治具とタップ治具を生体硬組織の所定箇所まで誘導して、孔を形成すると共にタップを立てることにより、生体内分解吸収性の医療用ネジ７をねじ込むネジ孔を生体硬組織の所定箇所に形成する。
そして、ドライバー前軸１０の先端の係合軸部１０ａを医療用ネジ７の被係合孔７ａに挿入して、医療用ネジ７をドライバー前軸１０の先端に取付け、生体硬組織のネジ孔形成箇所に先端が固定されているガイドワイヤを、医療用ネジ７の被係合孔７ａの先端から、ドライバー前軸１０、ドライバー後軸１１、エンドカバー２２のそれぞれのワイヤ挿通孔１０ｃ，１１ｃ，２２ａに挿通し、このガイドワイヤに沿って、医療用ネジ７を取付けたドライバー前軸１０の先端を生体硬組織のネジ孔まで誘導して、ドライバー１１０のスライド部１４（握り部１３）を手で回すことにより、医療用ネジ７を生体硬組織のネジ孔にねじ込む。
【００３９】
上記のように医療用ネジ７を生体硬組織のネジ孔にねじ込むと、ドライバー前軸１０の先端の係合軸部１０ａが、医療用ネジ７の被係合孔７ａに圧入、密着して、被係合孔７ａから引抜き難くなる。そこで、スライド部１４（握り部１３）を手で握ったまま後方に向かう所定以上の力を加えて、ボールプランジャー１８（スライド部仮固定手段）によるスライド部１４の仮固定を解除すると同時に、スライド部１４を図４に示すようにスライド範囲の後端まで勢い良くスライドさせ、スライド部１４の内部のキー１５ａをナット１７（ストッパー）に衝突させてスラップハンマー機能を発揮させる。このようにスラップハンマー機能を発揮させると、後方に向かう衝撃力（引抜き力）がナット１７から外筒１２、ドライバー後軸１１、前軸保持筒２１ａを介してドライバー前軸１０の先端の係合軸部１９ａに伝わり、医療用ネジ７の被係合孔７ａと係合軸部１０ａが衝撃力で離反して、係合軸部１０ａを医療用ネジ７の被係合孔７ａから簡単かつスムーズに引抜くことができる。
【００４０】
スラップハンマー機能は、ボールプランジャー１８（スライド部仮固定手段）によるスライド部１４の仮固定を解除させるのに必要な力の大きさ、及び、スライド部１４（握り部１３）の質量が大きくなるほど強く発揮され、衝撃力が大きくなる。従って、医療用ネジ７の被係合孔７ａとドライバー前軸１０の係合軸部１０ａを容易に離反させるのに充分な衝撃力を得るためには、ボールプランジャー１８（スライド部仮固定手段）が、後方に向かう１Ｎ以上の力をスライド部１４に加えると仮固定を解除するものであること、及び、スライド部１４（握り部１３）が０．１ｋｇ以上の質量を有するものであることが望ましい。
なお、スラップストローク（スライド部１４のスライド距離）は、スライド部１４（握り部１３）の長さを考慮して、３０〜１５０ｍｍに設定するのが適当である。
【００４１】
また、このドライバー１１０はラチェット機構１９を有しており、前述したように、切り替えリング１９ｂを回して噛合爪１９ｃ，１９ｄとラチェットギア１９ａとの噛合い変更することで、ドライバー前軸１０のロック態様を、左回転ロック、右回転ロック、両回転ロックの三態様に切り替えることができるため、医療用ネジ７のねじ込み作業や緩め作業を容易に行うことができる。
【００４２】
以上の説明から理解できるように、このドライバー１１０は医療用ネジ７のねじ込み作業や緩め作業を容易に行うことができ、しかも、医療用ネジ７をねじ込んだ後、スラップハンマー機能を発揮させてドライバー前軸１０先端の係合軸部１０ａを医療用ネジ７の被係合孔７ａから容易に抜き取ることができるので、操作性に優れており、前記特許文献１のドライバーのように、医療用ネジ７の頭部に傷がついたり、削り屑が発生して周囲の生体組織に付着するなどの不都合も解消することができる。
【符号の説明】
【００４３】
１    ドライバー軸
１ａ，１０ａ  係合軸部
２，１４  スライド部
３    スライド部仮固定手段
４    ストッパー
５，１６  固定部
６，１９  ラチェット機構
７    医療用ネジ
７ａ  被係合孔
８，１２  外筒
９，１３  握り部
１０  ドライバー前軸
１０ｂ  ビット部
１０ｃ  ワイヤ挿通孔
１１  ドライバー後軸
１２ａ  キー溝
１５ａ  キー
１７  ナット（ストッパー）
１８  ボールプランジャー（スライド部仮固定手段）
２１  前軸保持部
【図１】
0006271363.tif 000002
【図２】
0006271363.tif 000003
【図３】
0006271363.tif 000004
【図４】
0006271363.tif 000005
【図５】
0006271363.tif 000006
【図６】
0006271363.tif 000007
【図７】
0006271363.tif 000008
【図８】
0006271363.tif 000009
【図９】
0006271363.tif 000010